(57)【要約】【課題】カーテンの開閉に際し、当該カーテン横幅の襞状態を等間隔となって開閉できるようにした装飾性豊かで且つ低コストなカーテン幅規制用飾り具を提供する。【解決手段】カーテンレールＲに摺動自在に付設したスライダーＳの環部に吊架するカーテンプリーツ部Ｐに挿入したカーテンフックＦを備え、カーテンレールＲに沿って横方向へ移動して開閉可能とする。そして、前記カーテンフックＦを係止してカーテンプリーツ部Ｐ相互間の開きを所定幅員に規制するよう当該カーテンフックＦに架け渡した紐材２に等間隔に離間配置した飾り用のストッパー部材３を設ける。ストッパー部材３は、ハート形、花形、葉っぱ形、キャラクタ形、その他の装飾形態を備え、ストッパー部材３相互間の紐材２にはビーズ・リボン・その他の装飾品を取り付ける。【選択図】図１
0003142186.tif 000002
【実用新案登録請求の範囲】
【請求項１】
カーテンレールに摺動自在に付設されたスライダーの環部に吊架されるカーテンプリーツ部に連結されたカーテンフックを備え、カーテンレールに沿って横方向へ移動させて開閉可能としてなるカーテンにおいて、前記カーテンフックを係止させてカーテンプリーツ部相互間の開きを所定幅員に規制させるよう当該カーテンフックに架け渡した紐材に等間隔に離間配置された飾り用のストッパー部材を備えてなることを特徴とするカーテン幅規制用飾り具。
【請求項２】
ポール状のカーテンレールに嵌め合わせるスライド用挿入孔を備え、カーテンレールに沿って横方向へ移動させて開閉可能としてなるカーテンにおいて、前記スライド用挿入孔の片側周縁に係止されて当該スライド用挿入孔相互間の開きを所定幅員に規制させるようカーテンレールに嵌着され且つ当該スライド用挿入孔に挿通架け渡した紐材に等間隔に離間配置された飾り用のストッパー部材を備えてなることを特徴とするカーテン幅規制用飾り具。
【請求項３】
ストッパー部材は、ハート形、花形、葉っぱ形、キャラクタ形、その他の装飾形態を備えてなる請求項１または２記載のカーテン幅規制用飾り具。
【請求項４】
ストッパー部材相互間の紐材にはビーズ・リボン・その他の装飾品を取り付けてなる請求項１乃至３のいずれかに記載のカーテン幅規制用飾り具。
【考案の詳細な説明】
【技術分野】
【０００１】
本考案は、窓部をカーテンで閉じた際に、カーテンプリーツ部に装着されたカーテンフック相互間もしくはカーテンレールが挿入されるスライド用挿入孔相互間のカーテンの開き等によるプリーツ部相互間を好みの幅員に綺麗に揃えて保持できるようにしたカーテン幅規制用飾り具に関する。
【背景技術】
【０００２】
従来、カーテンは、窓部の例えば上縁位置に配したカーテンレールに摺動自在に付設されたスライダーの環部に、カーテン上端部で等間隔毎に縫製形成されたカーテンプリーツ部に連結されているカーテンフックが吊架垂設されており、このスライダーを介してカーテンはカーテンレールに沿って横方向へ移動させることで開閉可能としている。
【０００３】
また、ポール状のカーテンレールによって垂設されるカーテンでは、カーテン上端部で等間隔毎に形成した例えば丸孔状のスライド用挿入孔によってカーテンレールに嵌め合わされており、当該カーテンレールに沿ってカーテンを横方向へ移動させることで開閉可能としている。
【特許文献１】特になし
【考案の開示】
【考案が解決しようとする課題】
【０００４】
しかしながら、従来においては、窓部をカーテンで閉じた際に、カーテンプリーツ部に装着されたカーテンフック相互間、もしくはカーテンレールが挿入されるスライド用挿入孔相互間のカーテンの開き状態が場所によって異なるため、カーテン全体としての見栄えが悪くなる。すなわち、窓部をカーテンで閉じた際に、カーテンの横幅に沿った位置によっては、カーテンフック相互間もしくはスライド用挿入孔相互間のカーテンが広く開かれていたり、狭く開かれていたりすることで不揃いとなり、カーテン全体が不均一な状態となるのである。
【０００５】
そこで、本考案は叙上のような従来存した諸事情に鑑み創案されたもので、既設のカーテンに対して着脱が可能であり、窓部をカーテンで閉じた際に、カーテンプリーツ部に装着されたカーテンフック相互間もしくはカーテンレールに嵌め合わされるスライド用挿入孔相互間のカーテンの開き状態が等間隔となってカーテン全体の見栄えを良好にさせると同時に、カーテン自体に装飾性を付与することもできる低コストなカーテン幅規制用飾り具を提供することを目的とする。
【課題を解決するための手段】
【０００６】
上述した課題を解決するため、本考案にあっては、カーテンレールＲに摺動自在に付設されたスライダーＳの環部に吊架されるカーテンプリーツ部Ｐに連結されたカーテンフックＦを備え、カーテンレールＲに沿って横方向へ移動させて開閉可能としてなるカーテンＫにおいて、前記カーテンフックＦを係止させてカーテンプリーツ部Ｐ相互間の開きを所定幅員に規制させるよう当該カーテンフックＦに架け渡した紐材２に等間隔に離間配置された飾り用のストッパー部材３を備えてなるものである。
一方、ポール状のカーテンレールＲに嵌め合わせるスライド用挿入孔Ｑを備え、カーテンレールＲに沿って横方向へ移動させて開閉可能としてなるカーテンＫにおいて、前記スライド用挿入孔Ｑの片側周縁に係止されて当該スライド用挿入孔Ｑ相互間の開きを所定幅員に規制させるようカーテンレールＲに嵌着され且つ当該スライド用挿入孔Ｑに挿通架け渡した紐材２に等間隔に離間配置された飾り用のストッパー部材３を備えてなるものである。
また、ストッパー部材３は、ハート形、花形、葉っぱ形、キャラクタ形、その他の装飾形態を備えてなるものとすることができる。
さらに、ストッパー部材３相互間の紐材２にはビーズ・リボン・その他の装飾品を取り付けてなるものとすることができる。
【０００７】
以上のように構成された本考案に係るカーテン幅規制用飾り具にあって、カーテンフックＦに架け渡した紐材２に等間隔に離間配置された飾り用のストッパー部材３は、窓部をカーテンＫで閉じた際に、各カーテンフックＦを係止させ、当該カーテンフックＦ相互間のカーテンＫの開き状態を所定の幅員となった状態に規制させる。
また、カーテンＫのスライド用挿入孔Ｑに嵌め合わされているポール状のカーテンレールＲに嵌着され且つスライド用挿入孔Ｑに挿通架け渡した紐材２に等間隔に離間配置された飾り用のストッパー部材３は、窓部をカーテンＫで閉じた際に、各スライド用挿入孔Ｑを係止させ、当該スライド用挿入孔Ｑ相互間のカーテンＫの開き状態を所定の幅員となった状態に規制させる。
【考案の効果】
【０００８】
本考案によれば、窓部をカーテンＫで閉じた際に、カーテンプリーツ部Ｐに装着されたカーテンフックＦ相互間もしくはカーテンレールＲに嵌め合わされるスライド用挿入孔Ｑ相互間のカーテンＫの開き状態を例えば等間隔に揃えてカーテンＫ全体の見栄えを良好にさせることができる。また、既設のカーテンＫに対して着脱が可能であり、カーテンＫ自体に装飾性を付与することもできる低コストなカーテン幅規制用飾り具を提供することができる。
【０００９】
すなわちこれは、本考案が、カーテンフックＦを係止させてカーテンプリーツ部Ｐ相互間の開きを所定幅員に規制させるよう当該カーテンフックＦに架け渡した紐材２に等間隔に離間配置された飾り用のストッパー部材３を備えてなるからであり、これにより、窓部をカーテンＫで閉じた際に、カーテンプリーツ部Ｐに装着されたカーテンフックＦ相互間のカーテンＫの開き状態が等間隔となった所定の幅員に綺麗に揃えて保持しておくことができ、カーテンＫ全体の見栄えを向上させることができる。
【００１０】
一方、ポール状のカーテンレールＲに嵌め合わせるスライド用挿入孔Ｑを備え、カーテンレールＲに沿って横方向へ移動させて開閉可能としてなるカーテンＫにおいて、前記スライド用挿入孔Ｑの片側周縁に係止されて当該スライド用挿入孔Ｑ相互間の開きを所定幅員に規制させるようカーテンレールＲに嵌着され且つ当該スライド用挿入孔Ｑに挿通架け渡した紐材２に等間隔に離間配置された飾り用のストッパー部材３を備えてなるので、窓部をカーテンＫで閉じた際に、カーテンＫのスライド用挿入孔Ｑ相互間のカーテンＫの開き状態が等間隔となった所定の幅員に綺麗に揃えて保持しておくことができ、カーテンＫ全体の見栄えを向上させることができる。
【００１１】
また、ストッパー部材３は、ハート形、花形、葉っぱ形、キャラクタ形、その他の装飾形態を備えてなるので、窓部をカーテンＫで閉じた際に、当該カーテンＫの各ストッパー部材３に対応した部分に様々な装飾性を付与することができる。
【００１２】
さらに、ストッパー部材３相互間の紐材２にはビーズ・リボン・その他の装飾品を取り付けてなるので、窓部をカーテンＫで閉じた際に、当該カーテンＫの上縁部全体に様々な装飾性を付与することができる。
【００１３】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【考案を実施するための最良の形態】
【００１４】
以下、図面を参照して本考案を実施するための最良の一形態を説明する。図において示される符号１は、本考案に係るカーテン幅規制用飾り具を構成する飾り具本体であり、該飾り具本体１を使ってカーテンプリーツ部Ｐ相互間のカーテンＫの開きを好みの所定の幅員に綺麗に揃えて保持できるようにしてある。
【００１５】
カーテンＫは、不図示の窓部に吊されるように、遮光性生地による非透光性あるいはレース生地による透光性のいずれであってもよい。非透光性カーテンにあっては、室内を暗く出来るようにポリエステル繊維を素材として製織した厚手のドレープ地が用いられている。また、透光性カーテンにあっては、ポリエステル繊維を素材として編成した薄手の経編レース地からなり、窓部の外から射し込む日光を室内へ適度に採り入れ可能となっている。
【００１６】
そして、カーテンＫは、図１に示すように、上縁部では所要間隔をもってカーテンプリーツ部Ｐが形成され、カーテンプリーツ部Ｐに連結されたカーテンフックＦを介して、窓枠の上縁に配したカーテンレールＲに摺動自在に付設されたスライダーＳの環部に垂設され、カーテンＫを横方向へ移動させて開閉操作できるようにしてある。そして、飾り具本体１は、カーテンＫがいわゆる二重カーテンとして取り付けられているとき、非透光性カーテンおよび透光性カーテンの両方にそれぞれ使用するか、あるいは室内側から見ての体裁の良好性を考慮すれば、その場合の多くは非透光性カーテンに使用されることとする。もとより、透光性カーテンのみに使用しても差し障りがないものである。
【００１７】
飾り具本体１は、図１および図２に示すように、カーテンＫのカーテンプリーツ部Ｐに装着されているカーテンフックＦを片側から係止するための当該カーテンフックＦの幅員よりも大きな外径を有する例えば球形状のストッパー部材３が、軽量且つ強靱な例えばナイロン製等の合成繊維による紐材２に例えば熱融着等によって固定されて等間隔に離間配置されている。
【００１８】
また、ストッパー部材３は、図３（ａ）に示す球形状とする以外に、図３（ｂ）に示すようなディスク形、図３（ｃ）に示すようなサイコロ形とする他、各種のキャラクタ形等の装飾形態を備えていても良い。
【００１９】
さらに、紐材２の各ストッパー部材３相互間には、装飾部材４としての例えば互いに色の異なる複数の装飾球体が例えば熱融着等によって等間隔毎に固定されてる。この装飾部材４としては、球体の他に、ビーズ・リボン・その他の装飾品等を通し連ねて構成しても良い。尚、これらの装飾は、本考案を何等限定するものではなく、例えば人形であったり、動物あるいは文字・模様等を模した立体物、平板物であったりしても良い。
【００２０】
そして、紐材２はカーテンフックＦのカーテンプリーツ部Ｐ挿入部とスライダーＳ吊架部との間のＵ字折曲部分に架け渡されることで、窓部をカーテンＫで閉じた際に、ストッパー部材３は紐材２を介して、カーテンフックＦを片側で係止させ、カーテンプリーツ部Ｐ相互間の開きを所定幅員に規制させるものとしてある。
【００２１】
次に、以上のように構成された最良の形態についての使用の一例について説明する。先ず、カーテンＫのカーテンプリーツ部Ｐに挿入された各カーテンフックＦに、ストッパー部材３を等間隔に離間配置された紐材２を架け渡しておく。このとき、各ストッパー部材３は、互いに隣接するカーテンフックＦ同士の間にそれぞれが配置される。
【００２２】
窓部をカーテンＫで閉じた際には、図１または図２に示すように、紐材２に取り付けられた各ストッパー部材３によって各カーテンフックＦの片側が係止され、これにより各カーテンフックＦ相互間のカーテンＫの開き状態が、各ストッパー部材３相互間の間隔による所定の幅員となった状態で規制されるのである。
【００２３】
また、図４乃至図６は、カーテン幅規制用飾り具の他の例を示したものであり、ポール状のカーテンレールＲにカーテンＫのスライド用挿入孔Ｑによって嵌め合わせ、当該カーテンレールＲに沿って横方向へ移動させて開閉可能としてなるカーテンＫに飾り具本体１が使用されている。そして、このスライド用挿入孔Ｑ相互間のカーテンＫの開きを飾り具本体１を使って所定の幅員に綺麗に揃えて保持できるようにすると同時に、カーテンＫに対する装飾性も機能するようにしてある。
【００２４】
飾り具本体１は、図４に示すように、カーテンＫのスライド用挿入孔Ｑを片側もしくは両側から係止するための当該スライド用挿入孔Ｑの孔径よりも大きな外径を有する例えば花形駒状のストッパー部材３が、軽量且つ強靱な例えばナイロン製等の合成繊維による紐材２に固定されて等間隔に離間配置されている。
【００２５】
この紐材２には、各ストッパー部材３相互間にわたって、装飾部材４としての互いに色の異なる複数のビーズが通し連ねて構成されている。
【００２６】
すなわち、ストッパー部材３は、図５に示すように、その中央にポール状のカーテンレールＲを嵌挿させる開口部５を有し、当該開口部５の内周縁には、紐材２が挿通可能なスリット６を介して、当該紐材２に通し連ねたビーズ等の装飾部材４の大きさよりも小さな挿通孔７が形成されている。
【００２７】
そして、装飾部材４を施した紐材２をストッパー部材３のスリット６から挿通孔７に導入した際には、各ストッパー部材３は、両側の装飾部材４によって係止された状態となって固定される。そして、ストッパー部材３の開口部５にポール状のカーテンレールＲが嵌挿される。
【００２８】
これによって窓部をカーテンＫで閉じた際には、図４に示すように、各ストッパー部材３がカーテンレールＲに沿ってスライドして紐材２を介して等間隔に離間配置される。このとき、カーテンＫのスライド用挿入孔Ｑの各片側もしくは両側がストッパー部材３によって係止され、スライド用挿入孔Ｑ相互間のカーテンＫの開き状態が等間隔となった所定の幅員に綺麗に揃えて保持しておくことができるのである。
【００２９】
また、ストッパー部材３は、花形の他に、例えば図６（ａ）に示すハート形、または図６（ｂ）に示す葉っぱ形、さらにはキャラクタ形、その他の装飾形態を備えていても良い。尚、これらの装飾は、本考案を何等限定するものではなく、例えば人形であったり、動物あるいは文字・模様等を模した立体物であったりしても良い。
【図面の簡単な説明】
【００３０】
【図１】本考案を実施するための最良の形態における飾り具本体の使用状態を示すカーテン展開状態の要部斜視図である。
【図２】同じく飾り具本体の使用状態を上方側から見たカーテン展開状態の要部断面図である。
【図３】同じく飾り具本体のストッパー部材の具体例を示したもので、（ａ）は球形状のストッパー部材の斜視図、（ｂ）はディスク状のストッパー部材の斜視図、（ｃ）はサイコロ状のストッパー部材の斜視図である。
【図４】また、他例による飾り具本体の使用状態を示すカーテン展開状態の要部斜視図である。
【図５】同じく飾り具本体のストッパー部材の具体例を示した一部の拡大図を含む斜視図である。
【図６】同じくストッパー部材の他例を示し、（ａ）はハート形のストッパー部材の斜視図、（ｂ）は葉っぱ形のストッパー部材の斜視図である。
【符号の説明】
【００３１】
Ｋ…カーテン                            Ｐ…カーテンプリーツ部
Ｆ…カーテンフック                      Ｒ…カーテンレール
Ｓ…スライダー                          Ｑ…スライド用挿入孔
１…飾り具本体                          ２…紐材
３…ストッパー部材                      ４…装飾部材
５…開口部                              ６…スリット
７…挿通孔
【図１】
0003142186.tif 000003
【図２】
0003142186.tif 000004
【図３】
0003142186.tif 000005
【図４】
0003142186.tif 000006
【図５】
0003142186.tif 000007
【図６】
0003142186.tif 000008